(57)【要約】【課題】コンパクトな構成で、効果的な施療が可能なマッサージ器を提供する。【解決手段】  マッサージ器１は、床面上で転動可能な筒状のマッサージ器本体部２を備えている。マッサージ器本体部２は、その長手方向に対して傾斜するようにその表面に形成され、互いに並行する複数の溝２１と、隣り合う溝２１と溝２１との間に形成される第１凸部２２と、各溝２１のそれぞれをその長手方向に分断する第２凸部２３とを有する。前記患部がマッサージ器本体部２に押し当てられた状態でマッサージ器本体部２が床面上を転動することにより、第１凸部２２及び第２凸部２３が前記患部を押圧する位置が変化する。【選択図】図１
2019098059.tif 000002
【特許請求の範囲】
【請求項１】
床面上で転動可能な筒状のマッサージ部を備え、
前記マッサージ部は、当該マッサージ部の長手方向に対して傾斜するように当該マッサージ部表面に形成され、互いに並行する複数の溝と、隣り合う溝と溝との間に形成される第１の凸部と、各溝のそれぞれをその長手方向に分断する第２の凸部とを有し、
前記患部が前記マッサージ部に押し当てられた状態で当該マッサージ部が床面上を転動することにより、前記第１の凸部及び前記第２の凸部が前記患部を押圧する位置が変化するように構成されている、
マッサージ器。
【請求項２】
前記第２の凸部はそれぞれ、前記溝の幅方向において互いに隣り合わないように設けられている、
請求項１に記載のマッサージ器。
【請求項３】
前記第１の凸部及び前記第２の凸部は、鋭角に構成されている、
請求項１又は２に記載のマッサージ器。
【請求項４】
前記第１の凸部及び前記第２の凸部の角度は、４５°以上９０°未満である、
請求項１乃至３の何れかに記載のマッサージ器。
【請求項５】
前記マッサージ部は、香気成分を有する木材で構成されており、
前記マッサージ部には、当該マッサージ部の長手方向に貫通する貫通孔が形成され、前記香気成分が当該貫通孔を介して外方へ放出される、
請求項１乃至４の何れかに記載のマッサージ器。
【請求項６】
前記木材は、ヒノキ又はスギである、
請求項５に記載のマッサージ器。
【発明の詳細な説明】
【技術分野】
【０００１】
本発明は、被施療者の項部（首の後面部分）及び下腿（ふくらはぎ）等を施療するマッサージ器に関する。
【背景技術】
【０００２】
特許文献１には、互いに平行に配置された円盤状をなす２つの端部部材と、これらの２つの端部部材を繋ぐように設けられた胴部とを備えるマッサージ器が開示されている。このマッサージ器において、胴部の表面には、２つの端部部材の離隔方向に対して傾斜するように複数の溝が形成されている。また、この胴部には、隣り合う溝と溝及びこれらの間に形成された凸部を跨ぐようにそれぞれの長手方向に分断する一又は複数の穴が設けられている。このマッサージ器の場合、被施療者が下腿を胴部に載せた上で膝を屈伸すると、マッサージ器が床面上で転動し、隣り合う溝と溝との間に形成される凸部が被施療者の下腿を押圧する位置が変化するため、被施療者の下腿に多様な刺激を与えることができる。さらに、上記のとおり胴部に穴が設けられていることによって、凸部が形成されていない箇所、すなわち被施療者の下腿に当接しない箇所が断続的に存在することになるため、より一層変化に富んだ刺激を被施療者の下腿に与えることが可能になる。
【先行技術文献】
【特許文献】
【０００３】
【特許文献１】特許第６０２４０２４号明細書
【発明の概要】
【発明が解決しようとする課題】
【０００４】
上述した従来のマッサージ器の場合、胴部に設けられている穴が、２つの隣り合う溝及びそれらの溝間の凸部を長手方向に分断している。適切な刺激を与えるためには溝の幅は一定程度必要であることを考慮すると、２つの隣り合う溝を分断するためには、上記の穴は相当程度のサイズが必要になる。そのため、胴部が小型のものである場合、胴部全体に対して穴の占める面積が大きくなりすぎてしまい、適切な施療が期待できないことが想定される。
【０００５】
本発明は斯かる事情に鑑みてなされたものであり、その主たる目的は、上記課題を解決することができるマッサージ器を提供することにある。
【課題を解決するための手段】
【０００６】
上述した課題を解決するために、本発明の一の態様のマッサージ器は、床面上で転動可能な筒状のマッサージ部を備え、前記マッサージ部は、当該マッサージ部の長手方向に対して傾斜するように当該マッサージ部表面に形成され、互いに並行する複数の溝と、隣り合う溝と溝との間に形成される第１の凸部と、各溝のそれぞれをその長手方向に分断する第２の凸部とを有し、前記患部が前記マッサージ部に押し当てられた状態で当該マッサージ部が床面上を転動することにより、前記第１の凸部及び前記第２の凸部が前記患部を押圧する位置が変化するように構成されている。
【０００７】
この態様において、前記第２の凸部はそれぞれ、前記溝の幅方向において互いに隣り合わないように設けられていてもよい。
【０００８】
また、上記態様において、前記第１の凸部及び前記第２の凸部は、鋭角に構成されていてもよい。
【０００９】
また、上記態様において、前記第１の凸部及び前記第２の凸部の角度は、４５°以上９０°未満であってもよい。
【００１０】
また、上記態様において、前記マッサージ部は、香気成分を有する木材で構成されており、前記マッサージ部には、当該マッサージ部の長手方向に貫通する貫通孔が形成され、前記香気成分が当該貫通孔を介して外方へ放出されるようにしてもよい。
【００１１】
また、上記態様において、前記木材は、ヒノキ又はスギであることが好ましい。
【発明の効果】
【００１２】
本発明に係るマッサージ器によれば、コンパクトな構成で、適切な施療を行うことが可能となる。
【図面の簡単な説明】
【００１３】
【図１】実施の形態に係るマッサージ器の全体構成を示す斜視図。
【図２】実施の形態に係るマッサージ器の全体構成を示す正面図。
【図３】実施の形態に係るマッサージ器の全体構成を示す背面図。
【図４】実施の形態に係るマッサージ器の全体構成を示す左側面図。
【図５】実施の形態に係るマッサージ器の全体構成を示す右側面図。
【図６】実施の形態に係るマッサージ器の全体構成を示す平面図。
【図７】実施の形態に係るマッサージ器の全体構成を示す底面図。
【図８】本体部をＸ方向に直交する方向に切断したときの構成を模式的に示す部分断面図。
【図９】本体部を溝の長手方向に切断したときの構成を模式的に示す部分断面図。
【図１０】本体部における第２凸部の位置の一例を説明するための図。
【図１１】本体部における第２凸部の位置の他の例を説明するための図。
【図１２】実施の形態に係るマッサージ器の使用方法を説明するための図。
【図１３】実施の形態に係るマッサージ器の使用方法を説明するための図。
【図１４】実施の形態に係るマッサージ器による下腿の施療を説明するための図。
【図１５】実施の形態に係るマッサージ器の他の使用方法を説明するための図。
【発明を実施するための形態】
【００１４】
以下、本発明の好ましい実施の形態を、図面を参照しながら説明する。
【００１５】
本実施の形態に係るマッサージ器は、概略円筒状をなしており、被施療者の項部又は下腿等の患部に押し当てられた状態で床面上を転動することに伴って、その患部を施療するものである。
【００１６】
図１は、本実施の形態に係るマッサージ器の全体構成を示す斜視図である。また、図２乃至図７はそれぞれ、同じく全体構成を示す正面図、背面図、左側面図、右側面図、平面図及び底面図である。マッサージ器１は、円筒状をなすマッサージ器本体部（以下、単に「本体部」という）２を備えている。この本体部２の表面には複数の溝２１が設けられている。
【００１７】
本体部２は、ヒノキ材で構成されている。しかし、本体部２がヒノキ材以外の木材で構成されていてもよく、また、樹脂製等の木材以外の材質で構成されていても構わない。但し、後述するように、マッサージ効果を高めるためには、本体部２が香気成分を有する木材で構成されていることが好ましい。具体的には、ヒノキ材及びスギ材等で本体部２が構成されていることが好ましい。
【００１８】
本体部２は、その外径が長手方向の中央部から両端部にかけて大きくなるテーパ形状を有している。本実施の形態において、その中央部及び両端部の太さ（長手方向（図中Ｘ方向）に直交する方向における直径）はそれぞれ、１０６ｍｍ及び１１０ｍｍである。また、本体部２のＸ方向の長さは３３０ｍｍである。
【００１９】
本体部２は、長手方向に貫通する貫通孔２４が形成された中空円筒状をなしている。貫通孔２４の断面形状は円形であり、その直径は３２ｍｍである。
【００２０】
本体部２の表面に設けられた溝２１は、Ｘ方向に対してねじれるように傾斜している。これらの溝２１は、同じ方向に延設されているが、大きさ及び形状が１つ１つ異なっている。また、隣り合う溝２１は、互いに近接又は接するように配されている。
【００２１】
図８は、本体部２をＸ方向に直交する方向に切断したときの構成を模式的に示す部分断面図である。なお、図８においては、説明を簡単にするために、各溝２１の幅及び深さを同一にしている。
【００２２】
本実施の形態に係るマッサージ器１において、溝２１の幅Ｗは２０乃至４０ｍｍであり、溝２１の深さＤは１８乃至２０ｍｍである。また、隣り合う溝２１，２１の間に形成される凸部２２の頂点部の幅Ｔは２乃至３ｍｍであり、図８の断面における第１凸部２２の角度θは鋭角であり、より詳細には４５°以上９０°未満である。
【００２３】
マッサージ器１においては、上述したようにして本体部２の表面に設けられた溝２１により、Ｘ方向に対してねじれるように傾斜した線状の第１凸部２２が形成される。また、各溝２１の大きさ及び形状が多様であるので、第１凸部２２の形状が不規則なものとなっている。
【００２４】
また、本体部２の表面には、各溝２１をその長手方向に分断する第２凸部２３が形成されている。図９は、本体部２を溝２１の長手方向に切断したときの構成を模式的に示す部分断面図である。図９に示すように、第２凸部２３の角度θは鋭角であり、より詳細には４５°以上９０°未満である。この第２凸部２３も、第１凸部２２の場合と同様に、その形状が不規則なものとなっている。
【００２５】
なお、第１凸部２２は溝２１の長手方向に延びており、他方、第２凸部２３は溝２１の幅方向に延びている。すなわち、第１凸部２２及び第２凸部２３は、互いに交差する方向に延びている。
【００２６】
図１０及び図１１は、本体部２において第２凸部２３が設けられている位置の例を説明するための図である。なお、図１０及び図１１においては、説明を簡単にするために、各溝２１の幅、各第１凸部２２の幅、及び各第２凸部２３の幅をそれぞれ同一としている。
【００２７】
図１０に示す例では、本体部２の表面において、第２凸部２３のそれぞれは、溝２１の幅方向において隣り合わないように設けられている。つまり、溝２１の幅方向において各第２凸部２３と隣り合う位置には、他の第２凸部２３は設けられていない。この構成により、後述するように、変化に富んだ刺激を被施療者の患部に与えることが可能になる。但し、本発明はこれに限定されるわけではなく、図１１に示す例のように、第２凸部２３のそれぞれが溝２１の幅方向において隣り合うように設けられていても構わない。
【００２８】
次に、本実施の形態に係るマッサージ器１の使用方法について説明する。図１２及び図１３は、マッサージ器１の使用方法を説明するための図である。
【００２９】
マッサージ器１を使用する場合、被施療者はまず、マッサージ器１を水平な床面に配置する。この状態で、被施療者は、自分の片方の下腿を本体部２に載せる。このとき、図１２に示すように、膝を少し屈曲させた状態で、足首付近が本体部２に載るようにする。
【００３０】
次に、被施療者は、マッサージ器１の本体部２に下腿を載せたまま、膝を伸長させる（図１３参照）。これにより、本体部２が図中時計方向に回転し、床面上を転動することでマッサージ器１が後方（図中右方向）へ移動する。この動作に伴い、被施療者の下腿において、足首付近から膝の裏側へと、本体部２に当接する部分が推移する。図１３に示すように、膝を伸長させた状態では、膝の裏側に本体部２が当接することとなる。この動作（以下、「伸長動作」という）により、被施療者の下腿が、足首付近から膝の裏側に至るまで順次押圧され、揉み上げられるように施療される。
【００３１】
この後、被施療者は、マッサージ器１の本体部２に下腿を載せたまま、膝を屈曲させる（図１２参照）。これにより、本体部２が図中反時計回りに回転し、床面上を転動することでマッサージ器１が前方（図中左方向）へ移動する。この動作に伴い、被施療者の下腿において、膝の裏側から足首付近へと、本体部２に当接する部分が推移する。この結果、膝を屈曲させた状態で、足首付近が本体部２に当接する初期状態へと戻る。なお、この動作（以下、「屈曲動作」という）は、下腿の施療よりもむしろ、初期状態への復帰のためのものである。したがって、屈曲動作においては、伸長動作のときよりも、被施療者が下腿をマッサージ器１に押し当てる強さを小さくして、下腿に与えられる刺激が小さくなるようにすることが好ましい。しかしながら、これに限られるものではなく、被施療者の好みに応じて、屈曲動作においても強く下腿をマッサージ器１に押し当てて、下腿に強い刺激を与えるようにすることもできる。
【００３２】
上記のような動作を繰り返すことで、被施療者の下腿が足首側から膝側へと繰り返し施療される。
【００３３】
図１４は、本実施の形態に係るマッサージ器１による下腿の施療を説明するための図である。伸長動作においては、被施療者の下腿に接触している本体部２が図中黒色の矢印方向へと公転し、これに伴って、被施療者の下腿における本体部２に当接する箇所が、足首側から膝の裏側へと推移する。上述したように、本体部２において溝２１が斜め方向に設けられているため、第１凸部２２は下腿の長手方向（足首と膝とを結ぶ方向）に対して傾斜した方向に延びている。また、実質的に円柱状をなす本体部２の表面に形成された第１凸部２２は、螺旋状にねじれている。このような第１凸部２２の構造、及び本体部２の公転により、伸長動作中に第１凸部２２において被施療者の下腿に当接する箇所は、図中ＡからＢへと推移することとなる。
【００３４】
このように第１凸部２２においてＡからＢへと下腿への当接箇所が推移するため、被施療者の下腿においては、足首側から膝側へと、下腿の長手方向に施療箇所が移動すると共に、下腿の内側（又は外側）から外側（又は内側）へと、下腿の幅方向（短手方向）にも施療箇所が移動する。この結果、図中白抜き矢印で示すように、下腿の長手方向に対して傾斜した方向に、血流が促される。これは、下腿の長手方向にのみ、足首側から膝側へと血流が促される場合に比べて、下腿の幅方向への血流が促進されるため、より一層下腿の血行が促進され、施療効果を向上させることができる。また、上述したように、第１凸部２２の形状は不規則であるため、上記のような施療行為を行うことで、被施療者の下腿には変化に富んだ刺激が与えられる。
【００３５】
本体部２の表面においては、溝２１を長手方向に分断する第２凸部２３が設けられており、上記の施療の際に下腿はこの第２凸部２３にも当接する。図１０に示すように第２凸部２３のそれぞれが幅方向において隣り合わない位置に設けられている場合では、本体部２が公転すると、下腿に対する第２凸部２３の当接／非当接が繰り返されることになる。このようにして第２凸部２３により断続的に与えられる刺激が、上記の第１凸部２２による刺激と相俟って、マッサージ効果を高めることができる。なお、図１１に示すように、第２凸部２３のそれぞれが幅方向において隣り合う位置に設けられている場合であっても、このような第２凸部２３が設けられていない場合と比べると、第２凸部２３による刺激が与えられる分、マッサージ効果を高めることができる。
【００３６】
また、第１凸部２２及び第２凸部２３は互いに交差する方向に延びているため、本体部２が公転した場合に、第１凸部２２において下腿への当接箇所が推移する方向と、第２凸部２３において下腿への当接箇所が推移する方向とは交差することになる。これにより、下腿に多様な刺激を与えることができ、マッサージ効果を高めることができる。
【００３７】
上述したようにして本体部２が床面上を転動する際、本体部２を構成するヒノキ材の香気成分が貫通孔２４を介して外部へ放出される。この香気成分により被施療者はリラックスした状態となり、その結果より一層マッサージ効果が高められることになる。
【００３８】
なお、上記では、被施療者の下腿を施療する場合におけるマッサージ器１の使用方法について説明しているが、項部等の下腿以外の患部についてもマッサージ器１を同様に使用することができる。例えば、項部を施療する場合であれば、図１５に示すように、被施療者が仰向け状態となった上で自分の項部を本体部２に載せた後、頭部を持ち上げる動作及び押し下げる動作を繰り返すことにより本体部２を転動させる。これにより、上述した下腿を施療する場合と同様のマッサージ効果を項部に対して与えることができる。その他にも、被施療者が仰向け状態となった上で自分の背部又は腰部を本体部２に載せ、その本体部２を転動させることにより、背部又は腰部に対して同様のマッサージ効果を与えることが可能になる。
【産業上の利用可能性】
【００３９】
本発明のマッサージ器は、被施療者の項部及び下腿等の患部を施療するマッサージ器として有用である。
【符号の説明】
【００４０】
１  マッサージ器
２  本体部
２１  溝
２２  第１凸部
２３  第２凸部
２４  貫通孔
【図１】
2019098059.tif 000003
【図２】
2019098059.tif 000004
【図３】
2019098059.tif 000005
【図４】
2019098059.tif 000006
【図５】
2019098059.tif 000007
【図６】
2019098059.tif 000008
【図７】
2019098059.tif 000009
【図８】
2019098059.tif 000010
【図９】
2019098059.tif 000011
【図１０】
2019098059.tif 000012
【図１１】
2019098059.tif 000013
【図１２】
2019098059.tif 000014
【図１３】
2019098059.tif 000015
【図１４】
2019098059.tif 000016
【図１５】
2019098059.tif 000017